(57)【要約】      （修正有）【課題】民間航空機の洗面所内などの閉鎖空間内のオゾンを換気するためのシステム及び方法を提供する。【解決手段】閉鎖空間１０２内の１以上の構造物を消毒するシステム及び方法が、オゾン換気制御ユニット１１６を、ＵＶ光アセンブリ１１８、オゾンセンサ１１４、及び排気ファン１２２と動作可能に接続すること、オゾン換気制御ユニットを使用して、ＵＶ光アセンブリを操作し、洗浄サイクルの間に閉鎖空間の構造物の内部又は表面へＵＶ光を放射すること、閉鎖空間内のオゾンの量を検出するオゾンセンサから閉鎖空間内のオゾンの量を示すオゾン存在信号を受信すること、オゾン換気制御ユニットを使用して、閉鎖空間内のオゾンの量に基づいて、排気ファンを選択的に起動及び起動解除すること、並びにオゾン換気制御ユニットを使用して、閉鎖空間内のオゾンの量に基づいて、ＵＶ光アセンブリを選択的に起動及び起動解除することを含む。【選択図】図１
2018065549.tif 000002
【特許請求の範囲】
【請求項１】
閉鎖空間（１０２）内の１以上の構造物を消毒するためのシステムであって、
紫外線（ＵＶ）光を前記１以上の構造物の内部又は表面へ放射して、前記１以上の構造物を消毒するように構成された、ＵＶ光アセンブリ（１１８）、
前記閉鎖空間（１０２）内に固定された排気ファン（１２２）であって、前記閉鎖空間（１０２）からガスを排出するように構成された、排気ファン（１２２）、並びに
前記閉鎖空間（１０２）内のオゾンの量を制御するように構成された、オゾン換気システム（１００）を備え、前記オゾン換気システム（１００）が、
前記閉鎖空間（１０２）内の前記オゾンの量を検出し、前記閉鎖空間（１０２）内の前記オゾンの量を示すオゾン存在信号を出力するように構成された、オゾンセンサ（１１４）、並びに
前記ＵＶ光アセンブリ（１１８）、前記排気ファン（１２２）、及び前記オゾンセンサ（１１４）と通信するオゾン換気制御ユニット（１１６）であって、前記オゾン存在信号を受信し、前記閉鎖空間（１０２）内の前記オゾンの量に基づいて、前記ＵＶ光アセンブリ（１１８）と前記排気ファン（１２２）とを選択的に起動及び起動解除するように構成された、オゾン換気制御ユニット（１１６）を備える、システム。
【請求項２】
前記オゾン換気システム（１００）と通信するモニタリングステーション（１２４）を更に備え、前記オゾン換気制御ユニット（１１６）が、前記閉鎖空間（１０２）内の前記オゾンの量に関するオゾンステータス信号を、前記モニタリングステーション（１２４）へ出力するように構成され、前記モニタリングステーション（１２４）が、前記閉鎖空間（１０２）内の前記オゾンの量に関する情報を表示するか又は出力するかの一方又は両方に構成されている、請求項１に記載のシステム。
【請求項３】
開位置と閉位置との間で可動なドア（１１０）を更に備え、前記開位置にある前記ドア（１１０）が前記閉鎖空間（１０２）へ入ることを可能にし、前記閉位置にある前記ドア（１１０）が前記閉鎖空間（１０２）を閉鎖し、前記オゾン換気制御ユニット（１１６）が前記ドア（１１０）の錠（１１２）と通信し、前記オゾン換気制御ユニット（１１６）が、前記閉鎖空間（１０２）内の前記オゾンの量に基づいて、前記錠（１１２）を選択的にロック及びロック解除するように構成されている、請求項１又は２に記載のシステム。
【請求項４】
前記閉鎖空間（１０２）内の前記オゾンの量が、第１のトリガ閾値と一致した又は超えたときに、前記オゾン換気制御ユニット（１１６）が、前記排気ファン（１２２）を起動する、請求項１から３のいずれか一項に記載のシステム。
【請求項５】
前記閉鎖空間（１０２）内の前記オゾンの量が、前記第１のトリガ閾値未満であるときに、前記オゾン換気制御ユニット（１１６）が、前記排気ファン（１２２）を起動解除する、請求項４に記載のシステム。
【請求項６】
前記閉鎖空間（１０２）内の前記オゾンの量が、前記第１のトリガ閾値を超えた第２のトリガ閾値と一致した又は超えたときに、前記オゾン換気制御ユニット（１１６）が、前記ＵＶ光アセンブリ（１１８）を起動解除する、請求項４又は５に記載のシステム。
【請求項７】
洗浄サイクルが動作しており、且つ、前記閉鎖空間（１０２）内の前記オゾンの量が前記第２のトリガ閾値未満ならば、前記オゾン換気制御ユニット（１１６）が、前記ＵＶ光アセンブリ（１１８）を再起動する、請求項６に記載のシステム。
【請求項８】
前記オゾン換気制御ユニット（１１６）が、前記閉鎖空間（１０２）内の前記オゾンの量に基づいて、前記排気ファン（１２２）の排出速度を変更するように構成されている、請求項１から７のいずれか一項に記載のシステム。
【請求項９】
前記閉鎖空間（１０２）内にオゾンスクラバを更に備え、前記オゾン換気制御ユニット（１１６）が前記オゾンスクラバと通信し、前記オゾン換気制御ユニット（１１６）が、前記閉鎖空間（１０２）内の前記オゾンの量に基づいて、前記オゾンスクラバの動作を制御する、請求項１から８のいずれか一項に記載のシステム。
【請求項１０】
閉鎖空間（１０２）内の１以上の構造物を消毒する方法であって、
オゾン換気制御ユニット（１１６）を、紫外線（ＵＶ）光アセンブリ（１１８）、オゾンセンサ（１１４）、及び排気ファン（１２２）と動作可能に接続すること、
前記オゾン換気制御ユニット（１１６）を使用して、前記ＵＶ光アセンブリ（１１８）を操作し、洗浄サイクルの間に前記閉鎖空間（１０２）の前記１以上の構造物の内部又は表面へＵＶ光を放射すること、
前記オゾン換気制御ユニット（１１６）によって、前記閉鎖空間（１０２）内のオゾンの量を検出する前記オゾンセンサ（１１４）から、前記閉鎖空間（１０２）内の前記オゾンの量を示すオゾン存在信号を受信すること、
前記オゾン換気制御ユニット（１１６）を使用して、前記閉鎖空間（１０２）内の前記オゾンの量に基づいて、前記排気ファン（１２２）を選択的に起動及び起動解除すること、並びに
前記オゾン換気制御ユニット（１１６）を使用して、前記閉鎖空間（１０２）内の前記オゾンの量に基づいて、前記ＵＶ光アセンブリ（１１８）を選択的に起動及び起動解除することを含む、方法。
【発明の詳細な説明】
【技術分野】
【０００１】
本開示の実施形態は、広くは、民間航空機の洗面所内などの閉鎖空間内のオゾンを換気するためのシステム及び方法に関する。
【背景技術】
【０００２】
民間航空機は、様々な場所の間で乗客を輸送するために使用される。通常の民間航空機は、内部客室内に１以上の洗面所を含む。
【０００３】
紫外線（ＵＶ）光を使用して航空機の洗面所内の表面を殺菌又はさもなければ消毒するシステムが、現在、開発されている。例えば、遠ＵＶ光は、洗面所内の露出された表面を効果的に消毒することが分かってきた。
【０００４】
ＵＶ光と空気の相互作用が、オゾンを生成する。ＵＶ光が空気を通過する際に、ＵＶ光と酸素分子の相互作用がオゾン分子を生成する。
【０００５】
オゾンは、人間と構造物の両方にとって煩わしいものである。例えば、特定の個人は、長い期間にわたりオゾンに晒されると、呼吸障害、目のヒリヒリ、鼻の炎症、及び／又は胸痛を被り得る。更に、オゾンは、様々な構造物の表面を劣化させ得る反応性ガスである。
【０００６】
したがって、閉鎖空間内のオゾンの量は、通常、制御されている。米国連邦航空局（ＦＡＡ）は、航空機内のオゾンの存在に関する規制及びガイドラインを提供している。例えば、ＦＡＡの規制ガイドラインは、４時間を超える計画された飛行セグメントに対して、航空機の内部客室内のオゾンの量を、平均で１００ｐｐｂに制限している。更に、ＦＡＡの規制ガイドラインは、オゾンが何時でも１８０ｐｐｂを超える飛行のピークの３時間において、航空機の内部客室内のオゾンの量を、２５０ｐｐｂに制限もしている。
【０００７】
したがって、航空機のオペレータは、航空機内のオゾンの量を制限することを模索している。１つの既知の殺菌方法は、殺菌されるべき表面の近傍に殺菌ＵＶライトを配置することによって生成されるオゾンの量を制限する。例えば、ＵＶライトは、殺菌されるべき表面から１〜６インチ内にあり得る。表面に対するＵＶライトの近接は、オゾンの生成を制限する。何故ならば、オゾンが周囲空気のより短い距離を通って移動するからである。しかし、様々な構造体は、そのようにＵＶ光の近傍にあるわけではない。例えば、ＵＶライトは、洗面所内の便器又は床から数インチの範囲内に効果的に配置することができない。
【発明の概要】
【０００８】
閉鎖空間内のオゾンの量を制限するシステム及び方法が必要である。閉鎖空間内のオゾンを換気するシステム及び方法が必要である。放射されたＵＶ光と周囲空気の相互作用によって生成されたオゾンが、素早く、効果的に、且つ効率的に換気されるように、ＵＶライトが消毒されるべき構造物から分離されることを可能にするシステム及び方法が必要である。
【０００９】
これらの必要性を考慮して、本開示の特定の実施形態は、閉鎖空間内の１以上の構造物を消毒する（例えば、殺菌する又はさもなければ洗浄する）ためのシステムを提供する。該システムは、（１以上の）構造物を消毒するためにＵＶ光を（１以上の）構造物の内部又は表面へ放射するように構成された紫外線（ＵＶ）光アセンブリを含む。排気ファンが、閉鎖空間内に固定される。排気ファンは、閉鎖空間からガスを排出するように構成されている。オゾン換気システムは、閉鎖空間内のオゾンの量を制御する（例えば、制限する、最小化する、又はさもなければ低減させる）ように構成されている。オゾン換気システムは、閉鎖空間内のオゾンの量を検出し、閉鎖空間内のオゾンの量を示すオゾン存在信号を出力するように構成された、オゾンセンサを含む。オゾン換気制御ユニットは、ＵＶ光アセンブリ、排気ファン、及びオゾンセンサと通信する。オゾン換気制御ユニットは、オゾン存在信号を受信し、閉鎖空間内のオゾンの量に基づいて、ＵＶライトと排気ファンを選択的に起動及び起動解除するように構成されている。
【００１０】
該システムは、オゾン換気システムと通信するモニタリングステーションも含み得る。少なくとも１つの実施形態では、オゾン換気制御ユニットが、閉鎖空間内のオゾンの量に関するオゾンステータス信号を、モニタリングステーションへ出力するように構成されている。モニタリングステーションは、閉鎖空間内のオゾンの量に関する情報を表示及び／又は出力するように構成されている。
【００１１】
該システムは、開位置と閉位置との間で可動なドアも含み得る。開位置にあるドアは、閉鎖空間に入ることを可能にし、一方、閉位置にあるドアは、閉鎖空間を閉鎖する。オゾン換気制御ユニットは、ドアの錠と通信し得る。オゾン換気制御ユニットは、閉鎖空間内のオゾンの量に基づいて、選択的に錠をロック及びロック解除するように構成され得る。
【００１２】
少なくとも１つの実施形態では、閉鎖空間内のオゾンの量が第１のトリガ閾値と一致した又は超えたときに、オゾン換気制御ユニットが、排気ファンを起動する。閉鎖空間内のオゾンの量が、第１のトリガ閾値未満であるときに、オゾン換気制御ユニットは、排気ファンを起動解除し得る。
【００１３】
少なくとも１つの実施形態では、閉鎖空間内のオゾンの量が、第１のトリガ閾値を超えた第２のトリガ閾値と一致した又は超えたときに、オゾン換気制御ユニットが、ＵＶ光アセンブリを起動解除する。洗浄サイクルが動作しており、且つ、閉鎖空間内のオゾンの量が第２の閾値未満ならば、オゾン換気制御ユニットは、ＵＶ光アセンブリを再起動し得る。
【００１４】
オゾン換気制御ユニットは、閉鎖空間内のオゾンの量に基づいて、排気ファンの排出速度を変更するように構成され得る。
【００１５】
該システムは、閉鎖空間内にオゾンスクラバ（ozone scrubber）も含み得る。オゾン換気制御ユニットは、オゾンスクラバと通信する。オゾン換気制御ユニットは、閉鎖空間内のオゾンの量に基づいて、オゾンスクラバの動作を制御し得る。
【００１６】
本開示の特定の実施形態は、閉鎖空間内の１以上の構造物を消毒する方法を提供する。該方法は、オゾン換気制御ユニットを、紫外線（ＵＶ）光アセンブリ、オゾンセンサ、及び排気ファンと動作可能に接続すること、オゾン換気制御ユニットを使用して、ＵＶ光アセンブリを操作し、洗浄サイクルの間に閉鎖空間の（１以上の）構造物の内部又は表面へＵＶ光を放射すること、（オゾン換気制御ユニットによって）閉鎖空間内のオゾンの量を検出するオゾンセンサから閉鎖空間内のオゾンの量を示すオゾン存在信号を受信すること、オゾン換気制御ユニットを使用して、閉鎖空間内のオゾンの量に基づいて、排気ファンを選択的に起動及び起動解除すること、並びにオゾン換気制御ユニットを使用して、閉鎖空間内のオゾンの量に基づいて、ＵＶ光アセンブリを選択的に起動及び起動解除することを含む。
【００１７】
該方法は、モニタリングステーションをオゾン換気制御ユニットに接続すること、及びオゾン換気制御ユニットからモニタリングステーションへ、閉鎖空間内のオゾンの量に関するオゾンステータス信号を出力し、モニタリングステーションが閉鎖空間内のオゾンの量に関する情報を表示又は出力することのうちの一方又は両方を可能にすることも含み得る。
【００１８】
該方法は、オゾン換気制御ユニットを使用して、閉鎖空間内のオゾンの量に基づいて、ドアを閉鎖空間に選択的にロック及びロック解除することも含み得る。
【００１９】
本開示の特定の実施形態は、内部客室、及び内部客室内の洗面所を含む、輸送体を提供する。洗面所は、消毒されるべき１以上の構造物、及び開位置と閉位置との間で可動なドアを含む。開位置にあるドアは、洗面所に入ることを可能にし、一方、閉位置にあるドアは、洗面所を閉鎖する。紫外線（ＵＶ）光アセンブリは、洗面所内にある。ＵＶ光アセンブリは、（１以上の）構造物の内部又は表面へＵＶ光を放射して、（１以上の）構造物を消毒するように構成されている。排気ファンが、洗面所内に固定される。排気ファンは、洗面所からガスを排出するように構成されている。オゾン換気システムは、洗面所内のオゾンの量を制御するように構成されている。
【図面の簡単な説明】
【００２０】
【図１】本開示の一実施例による、閉鎖空間内のオゾン換気システムの概略図を示す。
【図２】本開示の一実施形態による、航空機の上面斜視図を示す。
【図３Ａ】本開示の一実施形態による、航空機の内部客室の平面図を示す。
【図３Ｂ】本開示の一実施形態による、航空機の内部客室の平面図を示す。
【図４】本開示の一実施形態による、洗面所の内部斜視図を示す。
【図５】本開示の一実施形態による、洗浄サイクルの間に閉鎖空間内のオゾンレベルを制御する方法のフローチャートを示す。
【発明を実施するための形態】
【００２１】
上記の概要、及び幾つかの実施形態の下記の詳細説明は、添付の図面を参照して読むことにより、より深く理解される。本明細書で使用される「一（a）」又は「１つの（an）」に続く単数形の要素又はステップは、複数の当該要素又はステップを必ずしも除外しないと理解されたい。更に、「一実施形態」への言及は、本明細書に記載の特徴を組み込む追加の実施形態の存在を除外すると解釈すべきでない。また、それと反対に明示的に記述されない限り、特定の条件を有する１以上の要素を「備える」「含む」又は「有する」実施形態は、その条件を有しない追加の要素を含み得る。
【００２２】
本開示の特定の実施形態は、航空機の洗面所、調理室、又は客室内などの、閉鎖され密閉された空間内のオゾンの量を制御する（例えば、制限する、最小化する、又はさもなければ低減させる）ように構成された、オゾン換気システムを提供する。オゾン換気システムは、ＵＶ光アセンブリ及び排気ファンと動作可能に（例えば、それらと通信し、それらを起動及び起動解除できるように）接続されている。
【００２３】
図１は、本開示の一実施形態による、閉鎖空間１０２内のオゾン換気システム１００の概略図を示している。閉鎖空間１０２は、床１０４、天井１０６、及び床１０４と天井１０６との間で延在する壁１０８によって画定され得る。ドア１１０は、壁１０８のうちの１つと可動に固定され得る。ドア１１０は、ドア１１０を閉じた位置内にしっかりとロックするように構成された、錠１１２を含む。錠１１２がロックされた位置に作動されたときに、ドア１１０は、開くことができない。錠１１２がロックされていない位置にあるときに、ドア１１０は、開くことができる。閉鎖空間１０２は、民間航空機に搭載された閉鎖空間であり得る。例えば、閉鎖空間１０２は、航空機に搭載された洗面所であり得る。別の一実施例として、閉鎖空間１０２は、航空機に搭載された調理室であり得る。更に別の一実施例として、閉鎖空間１０２は、航空機に搭載された客室であり得る。閉鎖空間１０２は、ドア１１０を含んでもよいし又は含まなくてもよい。閉鎖空間１０２は、様々な他の輸送体、構造物などの範囲内にあり得る。例えば、閉鎖空間１０２は、民間、行政、若しくは住居のための建物内にある部屋であり、又は列車、バス、船舶などに搭載された部屋であり得る。
【００２４】
オゾン換気システム１００は、閉鎖空間１０２内にオゾンセンサ１１４を含む。オゾンセンサ１１４は、オゾン換気制御ユニット１１６と（例えば、１以上の有線又は無線接続を介して通信できるように）接続されている。オゾン換気制御ユニット１１６は、閉鎖空間１０２内のオゾンの量を示すオゾン存在信号を、オゾンセンサ１１４から受信するように構成されている。（図１で示されるように）オゾン換気制御ユニット１１６は、閉鎖空間１０２内にあり得る。任意選択的に、オゾン換気制御ユニット１１６は、閉鎖空間１０２の外側にあり得る。例えば、オゾン換気制御ユニット１１６は、閉鎖空間１０２から遠隔に配置されたコンピュータの部分であり得る。少なくとも１つの他の実施形態では、オゾン換気制御ユニット１１６が、オゾンセンサ１１４内に含まれ得る。１つのオゾンセンサ１１４が、図１で示されている一方で、オゾン換気制御ユニット１１６は、閉鎖空間１０２内の複数のオゾンセンサ１１４と動作可能に接続され得る。
【００２５】
オゾン換気システム１００は、１以上の有線又は無線接続を介するなどして、ＵＶ光アセンブリ１１８とも動作可能に（例えば、それと通信し、それを起動及び起動解除できるように）接続されている。ＵＶ光アセンブリ１１８は、閉鎖空間１０２内の表面及び／又は構造物へＵＶ光を放射して、表面及び／又は構造物を消毒する（例えば、殺菌又はさもなければ洗浄する）ように構成された、１以上のＵＶ光要素１２０を含む。ＵＶ光要素１２０は、発光ダイオード（１以上のＬＥＤ）、電球、光ファイバー要素などであり得る。少なくとも１つの実施形態では、ＵＶ光要素１２０が、遠ＵＶ光を放射するように構成されている。代替的に、ＵＶ光要素１２０は、ＵＶＣ、ＵＶＢ，又はＵＶＡ光などの、他の種類のＵＶ光を放射するように構成されていてもよい。ＵＶ光アセンブリ１１８は、示されているものよりも多くの又は少ないＵＶ光要素１２０を含み得る。１つのＵＶ光アセンブリ１１８が、図１で示されている一方で、オゾン換気システム１００は、閉鎖空間１０２内の複数のＵＶ光アセンブリ１１８と接続され得る。
【００２６】
オゾン換気制御ユニット１１６は、１以上の有線又は無線接続を介するなどして、排気ファン１２２とも動作可能に（例えば、それと通信し、それを起動及び起動解除できるように）接続されている。排気ファン１２２は、閉鎖空間１０２から外部環境へ（オゾンなどの）ガスを排出するように操作されるように構成されている。少なくとも１つの実施形態では、排気ファン１２２が、可変速度排気ファンである。少なくとも１つの実施形態では、オゾン換気制御ユニット１１６が、今度は、排気ファン１２２と動作可能に接続されたスイッチに接続され得る。オゾン換気制御ユニット１１６は、選択的にスイッチを開閉し、それぞれ、排気ファン１２２を起動及び起動解除し得る。
【００２７】
オゾン換気制御ユニット１１６は、１以上の有線又は無線接続を介するなどして、ドア１１０の錠１１２とも動作可能に接続され得る。オゾン換気制御ユニット１１６は、閉鎖空間内のオゾンの検出されたレベルに基づいて、ドア１１０をロックするように構成され得る。任意選択的に、オゾン換気制御ユニット１１６は、錠１１２と動作可能に接続されなくてもよい。
【００２８】
オゾン換気制御ユニット１１６は、１以上の有線又は無線接続を介するなどして、モニタリングステーション１２４とも通信し得る。モニタリングステーション１２４は、（コンピュータモニタ、テレビ画面、タッチスクリーン、デジタルディスプレイなどの）モニタ１２６、及び１以上のスピーカー１２８を含み得る。少なくとも１つの実施形態では、モニタリングステーション１２４が、スマートフォンなどの携帯デバイスである。オゾン換気制御ユニット１１６は、１以上の有線又は無線接続を介するなどして、モニタリングステーション１２４へ、オゾンステータス信号を出力するように構成され得る。オゾンステータス信号は、閉鎖空間１０２内のオゾンの量に関する。オゾンステータス信号に関する情報は、（例えば、グラフィックス、テキストなどで）モニタ１２６に表示され、及び／又は（音響信号を介するなどして）スピーカー１２８を介して出力され得る。
【００２９】
モニタリングステーション１２４は、閉鎖空間１０２から遠隔に配置されていてもよい。例えば、モニタリングステーション１２４は、航空機の乗務員領域内にあり得る。任意選択的に、モニタリングステーション１２４は、閉鎖空間１０２内にあるか、又はモニタリングステーション１２４の外側壁部分に取り付けられ得る。代替的に、オゾン換気システム１００は、モニタリングステーション１２４を含まないか、又はさもなければモニタリングステーション１２４と通信しなくてもよい。
【００３０】
図１で示されているように、システム１０１は、ＵＶ光アセンブリ１１８の使用を介するなどして、閉鎖空間１０２内の１以上の構造物を消毒する（例えば、殺菌する、又はさもなければ洗浄する）ために提供される。オゾン換気システム１００は、ＵＶ光アセンブリ１１８の動作の間に、閉鎖空間１０２内のオゾンの量を制御する（例えば、制限する、最小化する、又はさもなければ低減させる）。
【００３１】
動作では、ＵＶ光アセンブリ１１８が、起動されて、閉鎖空間１０２内の１以上の構造物を消毒し得る。（１以上の）ＵＶ光要素１２０がＵＶ光を放射する際に、放射されたＵＶ光が閉鎖空間１０２内の周囲空気と相互作用して、オゾン分子が生成され得る。
【００３２】
オゾンセンサ１１４は、閉鎖空間１０２内のオゾンの量を検出する。オゾン換気制御ユニット１１６は、様々なトリガ閾値に関するデータを記憶したメモリを含むか、又はさもなければそのメモリに接続されている。
【００３３】
第１の即ちファン起動トリガ閾値は、閉鎖空間１０２内のオゾンが外部環境へ排出されるように、オゾン換気制御ユニット１１６が、排気ファン１２２を起動するところの、閉鎖空間内のオゾンの量であり得る。一実施例として、第１のトリガ閾値は、閉鎖空間１０２の容積内で５０ｐｐｂのオゾン（オゾンのｐｐｂ）が存在することであり得る。任意選択的に、第１のトリガ閾値は、閉鎖空間１０２内で存在するオゾンの５０ｐｐｂよりも少なくても又は多くてもよい。例えば、第１のトリガ閾値は、閉鎖空間１０２内で存在するオゾンの１０、２０、３０、又は４０ｐｐｂであり得る。代替的に、第１のトリガ閾値は、閉鎖空間１０２内で存在するオゾンの６０、７０、又は８０ｐｐｂであり得る。別の一実施例として、第１のトリガ閾値は、閉鎖空間１０２の容積内に存在するオゾンの所定の割合であり得る。
【００３４】
第２の即ちＵＶ光起動解除トリガ閾値は、ＵＶ光要素１２０がもはやＵＶ光を放射せず、それによって、更なるオゾンの生成を妨げるように、オゾン換気制御ユニット１１６が、ＵＶ光アセンブリ１１８を起動解除するところの、閉鎖空間内のオゾンの量であり得る。別の一実施例として、第２のトリガ閾値は、閉鎖空間１０２の容積内で１００ｐｐｂのオゾンが存在することであり得る。任意選択的に、第２のトリガ閾値は、閉鎖空間１０２で存在するオゾンの１００ｐｐｂよりも少なくても又は多くてもよい。例えば、第２のトリガ閾値は、閉鎖空間１０２内で存在するオゾンの６０、７０、８０、又は９０ｐｐｂであり得る。代替的に、第２のトリガ閾値は、閉鎖空間１０２内で存在するオゾンの１１０、１２０、１３０、又は１４０ｐｐｂであり得る。別の一実施例として、第２のトリガ閾値は、閉鎖空間１０２の容積内に存在するオゾンの所定の割合であり得る。
【００３５】
洗浄サイクルの間に、ＵＶ光アセンブリ１１８は、動作しており、ＵＶ光を放射する。特に、（１以上の）ＵＶ光要素１２０は、閉鎖空間１０２内の構造物の内部又は表面へＵＶ光を放射して、構造物の１以上の表面を殺菌する。オゾンセンサ１１４は、洗浄サイクルの間に、閉鎖空間１０２内のオゾンの存在を検出する。オゾン換気制御ユニット１１６は、閉鎖空間１０２内のオゾンの量の表示である、１以上のオゾン存在信号を、オゾンセンサ１１４から受信する。オゾン換気制御ユニット１１６が、オゾン存在信号から、閉鎖空間１０２内のオゾンの量が第１の閾値未満であると判定したならば、オゾン換気制御ユニット１１６は、ＵＶ光アセンブリ１１８と排気ファン１２２に関して操作を行わない。
【００３６】
しかし、オゾン換気制御ユニット１１６が、オゾン存在信号から、閉鎖空間１０２内のオゾンの量が第１の閾値と一致した又は超えたと判定したならば、オゾン換気制御ユニット１１６は、排気ファン１２２を起動するファン起動信号を出力する。排気ファン１２２が起動された際に、閉鎖空間１０２内のオゾンが、閉鎖空間１０２内で分散され、排気ファン１２２を介して外部環境へ排出される。
【００３７】
排気ファン１２２が動作する際に、オゾン換気制御ユニット１１６は、オゾンセンサ１１４からオゾン存在信号を受信し続けている。閉鎖空間１０２内のオゾンが、第１の閾値よりも上であり続けるならば、オゾン換気制御ユニット１１６は、排気ファン１２２を操作して、閉鎖空間からオゾンを分散及び排出し続ける。しかし、オゾン制御ユニット１１６が、閉鎖空間１０２内のオゾンの量が第１の閾値未満に減ったと判定したならば、オゾン換気制御ユニット１１６は、排気ファン１２２へファン起動解除信号を出力し、それによって、排気ファン１２２を起動解除し得る。
【００３８】
少なくとも１つの実施形態では、閉鎖空間内のオゾンが、第１のトリガ閾値未満であり得る、ファン起動解除閾値未満に減ったときに、オゾン換気制御ユニット１１６が、排気ファン１２２を起動解除し得る。少なくとも１つの実施形態では、ファン起動解除閾値が、第１のトリガ閾値に関する所定量未満に減った閉鎖空間１０２内で検出されるオゾンの量に基づく。例えば、閉鎖空間１０２内の検出されたオゾンの量が、第１のトリガ閾値の５０％になった後で、オゾン換気制御ユニット１１６は、排気ファン１２２を起動解除し得る。任意選択的に、閉鎖空間内の検出されたオゾンの量が、第１のトリガ閾値の２５％、又は第１のトリガ閾値の７５％などの、第１のトリガ閾値の５０％よりも多くなった又は少なくなった後で、オゾン換気制御ユニット１１６は、排気ファン１２２を起動解除し得る。少なくとも１つの他の実施形態では、閉鎖空間１０２内にオゾンが存在しないと判定した後で、オゾン換気制御ユニット１１６が、排気ファン１２２を起動解除し得る。
【００３９】
排気ファン１２２の起動の後で、オゾン換気制御ユニット１１６が、（オゾンセンサ１１４から受信したオゾン存在信号を介して）閉鎖空間内のオゾンの量が第１のトリガ閾値よりも多いままであると判定したならば、オゾン換気制御ユニット１１６は、排気ファン１２２の排出速度（例えば、ファンのローターの回転数）を高める、増加されたファン速度信号を、排気ファン１２２へ出力し得る。増加された排出速度は、閉鎖空間からのオゾン換気の速度を高める。オゾン換気制御ユニット１１６は、更なるトリガ閾値に基づいて、排気ファン１２２の速度を高め得る。例えば、複数の増加された速度のトリガ閾値が使用されて、排気ファン１２２の排出速度を高め得る。
【００４０】
オゾン換気制御ユニット１１６が、（オゾンセンサ１１４によって出力されたオゾン存在信号から）閉鎖空間１０２内のオゾンが第２のトリガ閾値と一致した又は超えたと判定したならば、（排気ファンが動作しているか否かに関わらず）オゾン換気制御ユニット１１６は、ＵＶ光アセンブリ１１８へＵＶ起動解除信号を出力し、それによって、ＵＶ光アセンブリ１１８からのＵＶ光放射を停止する。
【００４１】
オゾン換気制御ユニット１１６が、ＵＶ光アセンブリ１１８を起動解除したときに、オゾン制御ユニット１１６は、排気ファン１２２を制御して、閉鎖空間１０２からオゾンを排出し続け得る。少なくとも１つの実施形態では、閉鎖空間１０２内のオゾンが第２のトリガ閾値と一致した又は超えたときに、オゾン換気制御ユニット１１６が、排気ファン１２２を最も高い排出速度で制御し得る。代替的に、第２のトリガ閾値が満たされたときに、オゾン換気制御ユニット１１６は、ＵＶ光アセンブリ１１８と排気ファン１２２を起動解除し得る。
【００４２】
ＵＶ光アセンブリ１１８が、第２のトリガ閾値と一致した又は超えた、検出されたオゾンの量に基づいて起動解除された後で、オゾン換気制御ユニット１１６は、オゾンセンサ１１４からオゾン存在信号を受信し続ける。閉鎖空間１０２内のオゾンが、第２のトリガ閾値よりも上のままであるならば、オゾン換気制御ユニット１１６は、ＵＶ光アセンブリ１１８が再起動することを妨げる（そして、上述されたように、排気ファン１２２を操作して、閉鎖空間１０２からオゾンを分散及び排出し続け得る）。しかし、オゾン換気制御ユニット１１６が、閉鎖空間１０２内のオゾンの量が第２のトリガ閾値未満に減ったと判定したならば、オゾン換気制御ユニット１１６は、（洗浄サイクルが未だ進行中であり又は未だ完了していないならば）ＵＶ光アセンブリ１１８へＵＶ再起動信号を出力し、それによって、ＵＶ光アセンブリ１１８を再起動し得る。
【００４３】
少なくとも１つの実施形態では、閉鎖空間内のオゾンが、第２のトリガ閾値未満であるＵＶ再起動閾値未満に減ったときに、オゾン換気制御ユニット１１６が、ＵＶ光アセンブリ１１８を再起動し得る。ＵＶ再起動閾値は、第２のトリガ閾値に関する所定量未満に減った閉鎖空間１０２内で検出されるオゾンの量に基づく。例えば、閉鎖空間１０２内の検出されたオゾンの量が、第２のトリガ閾値の５０％になった後で、（例えば、洗浄サイクルが進行中であるならば）オゾン換気制御ユニット１１６は、ＵＶ光アセンブリ１１８を再起動し得る。任意選択的に、閉鎖空間１０２内の検出されたオゾンの量が、第２のトリガ閾値の２５％、又は第２のトリガ閾値の７５％などの、第２のトリガ閾値の５０％よりも多くなった又は少なくなった後で、オゾン換気制御ユニット１１６は、ＵＶ光アセンブリ１１８を再起動し得る。少なくとも１つの他の実施形態では、閉鎖空間１０２内にオゾンが存在しないと判定した後で、オゾン換気制御ユニット１１６が、ＵＶ光アセンブリ１１８を再起動し得る。
【００４４】
上述したように、オゾン換気制御ユニット１１６は、１以上の有線又は無線接続を介するなどして、錠１１２と動作可能に接続され得る。洗浄サイクルの間で、ＵＶ光アセンブリ１１８が動作しているときに、ドア１１０は閉鎖空間１０２にロックされ得る。それによって、個人は、洗浄サイクルの間に閉鎖空間１０２に入ることができない。閉鎖空間１０２内の検出されたオゾンの量が第２のトリガ閾値を超えたならば、オゾン換気制御ユニット１１６は、錠１１２へロック信号を出力し得る。それにより、閉鎖空間１０２内にオゾンが存在しなくなるなど、閉鎖空間１０２内のオゾンが所定レベルに減るまで、ドア１１０がロックされたままであることを確実にする。
【００４５】
オゾン換気制御ユニット１１６は、モニタリングステーション１２４へオゾンステータス信号も出力し得る。例えば、オゾン換気制御ユニット１１６は、洗浄サイクルが進行中である（そして、ドア１１０がロックされ得る）こと、及び／又は閉鎖空間１０２内のオゾンが安全なレベル内にあることを示すオゾンステータス信号を、モニタリングステーション１２４へ出力し得る。別の一実施例として、オゾン換気制御ユニット１１６は、第１のトリガ閾値が満たされたこと（オゾンが存在すること）、及び排気ファン１２２が動作していることを示すオゾンステータス信号を、モニタリングステーション１２４へ出力し得る。別の一実施例において、オゾン換気制御ユニット１１６は、第２のトリガ閾値が満たされたこと（オゾンのレベルが高いこと）、及びＵＶ光アセンブリ１１８が起動解除されたことを示すオゾンステータス信号を、モニタリングステーション１２４へ出力し得る。オゾンステータス信号に関する情報は、モニタ１２６に表示され、及び／又はスピーカー１２８によって出力され得る。
【００４６】
オゾンスクラバ１３０も、閉鎖空間１０２内に配置され得る。オゾンスクラバ１３０は、その中へオゾンを引き、オゾンを酸素に変換する触媒をオゾンが通るようにする。オゾン換気制御ユニット１１６は、１以上の有線又は無線接続を介するなどして、オゾンスクラバ１３０と動作可能に接続され得る。オゾン制御ユニット１１６は、オゾンスクラバ１３０を自動的に、且つ／又は排気ファン１２２及び／若しくはＵＶ光アセンブリ１１８の動作と併せて起動するために、オゾンスクラバ１３０へスクラバ起動信号を出力し得る。
【００４７】
少なくとも１つの実施形態では、オゾンセンサ１１４及び／又はオゾン換気制御ユニット１１６が、オゾンセンサ１１４によって出力されたオゾン存在信号を、様々なＵＶ光サイクルに対して予期されるデータと比較し得る。例えば、特定の強度において及び／又は特定の期間の間、ＵＶ光アセンブリ１１８の動作に基づいて予期された、閉鎖空間１０２内で生成されるオゾンのデータが、特定の予期された量であり得る。予期された量が検出された量と実質的に合致しないならば、オゾン換気制御ユニット１１６及び／又はオゾンセンサ１１４が、モニタリングステーション１２４などへ、故障信号を出力し得る。
【００４８】
本明細書で使用される際に、「制御ユニット」、「中央処理装置」、「ＣＰＵ」などという用語は、マイクロコントローラ、縮小指示命令セットコンピュータ（ＲＩＳＣ）、特定用途向け集積回路（ＡＳＩＣ）、論理回路、及び、本明細書で説明される機能を実行することが可能なハードウェア、ソフトウェア、又はそれらの組み合わせを含む任意の他の回路又はプロセッサを使用するシステムを含む、任意のプロセッサベース又はマイクロプロセッサベースのシステムを含み得る。上述したものは例示的なものに過ぎず、したがって、そのような用語の定義及び／又は意味を何らかのやり方で限定することを意図していない。例えば、オゾン換気制御ユニット１１６は、排気ファン１２２、ＵＶ光アセンブリ１１８、オゾンスクラバ１３０などの動作を制御するように構成された、１以上のプロセッサであり又はそれらを含み得る。
【００４９】
オゾン換気制御ユニット１１６は、データを処理するために、（１以上のメモリなどの）１以上のデータ記憶装置又は素子内に記憶された、一組の指示命令を実行するように構成されている。例えば、オゾン換気制御ユニット１１６は、１以上のメモリを含み又はそれらに接続され得る。データ記憶装置は、所望又は必要に応じて、データ又は他の情報も記憶し得る。データ記憶装置は、情報ソース、又は処理マシン内の物理メモリ要素という形態を採り得る。
【００５０】
一組の指示命令は、オゾン換気制御装置１１６に指示を与え、処理マシンとして、本明細書に記載の主題の様々な実施形態の方法及びプロセスなどの特定の操作を実行させる様々なコマンドを含み得る。一組の指示命令は、ソフトウェアプログラムの形態を採ってもよい。ソフトウェアは、システムソフトウェア又はアプリケーションソフトウェアなどの様々な形態を採り得る。更に、ソフトウェアは、分離したプログラムの集合、より大きなプログラム内のプログラムサブセット、又はプログラムの一部分の形態を採り得る。ソフトウェアは、オブジェクト指向プログラミングの形態を採るモジュラープログラミングも含み得る。処理マシンによる入力データの処理は、ユーザのコマンドに応じ、又は、従前の処理の結果に応じ、又は、別の処理マシンによってなされた要求に応ずるものであり得る。
【００５１】
本明細書の実施形態の図は、オゾン換気制御ユニット１１６などの、１以上の制御又は処理ユニットを示し得る。処理又は制御装置が、本明細書に記載の動作を実行する（例えば、コンピュータハードドライブ、ＲＯＭ、ＲＡＭなどの、有形且つ非一過性のコンピュータ可読記憶媒体に記憶されたソフトウェアなど）、関連する指示命令を含むハードウェアとして実装され得る回路、又はその一部を表していることを理解されたい。ハードウェアは、本明細書に記載の機能を実行するようハードワイヤードされたステートマシン回路を含み得る。任意選択的に、ハードウェアが、マイクロプロセッサ、プロセッサ、コントローラなどの１以上の論理ベースのデバイスを含み、且つ／又はそれらに接続された電子回路を含んでもよい。任意選択的に、オゾン換気制御ユニット１１６は、フィールドプログラマブルゲートアレイ（ＦＰＧＡ）、特定用途向け集積回路（ＡＳＩＣ）、（１以上の）マイクロプロセッサなどの、処理回路を表してもよい。様々な実施形態の回路は、本明細書に記載の機能を実施するために１以上のアルゴリズムを実行するように構成され得る。１以上のアルゴリズムは、フローチャート又は方法に明示的に特定されているか否かに関わらず、本明細書に開示の実施形態の諸態様を含み得る。
【００５２】
本明細書で使用される際に、「ソフトウェア」及び「ファームウェア」という用語は、置き換え可能であり、ＲＡＭメモリ、ＲＯＭメモリ、ＥＰＲＯＭメモリ、ＥＥＰＲＯＭメモリ、及び不揮発性ＲＡＭ（ＮＶＲＡＭ）メモリを含む、コンピュータによる実行のためのデータ記憶ユニット（例えば、１以上のメモリ）に記憶される任意のコンピュータプログラムを含む。上記のデータ記憶ユニットのタイプは例示的なものにすぎず、したがって、コンピュータプログラムを記憶するために使用することができるメモリのタイプを限定するものではない。
【００５３】
図２は、本開示の一実施形態による、航空機２００の上面斜視図を示す。航空機２００には、例えば、２つのターボファンエンジン２１４を含み得る、推進システム２１２が含まれる。任意選択的に、推進システム２１２には、図示したものよりも更に多くのエンジン２１４が含まれ得る。エンジン２１４は、航空機２００の翼２１６によって担持される。他の実施形態では、エンジン２１４が、胴体２１８及び／又は尾部２２０によって担持され得る。尾部２２０は、水平尾翼２２２と垂直尾翼２２４も支持し得る。
【００５４】
航空機２００の胴体２１８は内部客室を画定し、内部客室には、操縦席、１以上のワークステーション（例えば、調理室、手荷物領域など）、１以上の乗客セクション（例えば、ファーストクラス、ビジネスクラス、及びエコノミーセクション）、及び後方休憩領域アセンブリが配置され得る後方セクションが含まれ得る。各セクションは、１以上のクラス仕切アセンブリを含み得る客室移行領域によって分離され得る。頭上荷物箱アセンブリは、内部客室全体に配置され得る。内部客室は、例えば、洗面所などの１以上の部屋を含む。（図１に関連して示され説明された）１以上のオゾン換気システム１００が、内部客室内に配置され得る。
【００５５】
代替的に、航空機の代わりに、本開示の実施形態が、自動車、バス、機関車及び列車、船舶などの、様々な他の輸送体で使用されてもよい。更に、本開示の実施形態は、商業建物及び住居建物などの、固定された構造物に関して使用されてもよい。
【００５６】
図３Ａは、本発明の一実施形態による、航空機の内部客室２３０の平面図を示している。内部客室２３０は、航空機の胴体２３２内であってよい。例えば、１以上の胴体壁により、内部客室２３０が画定され得る。内部客室２３０には、前方セクション２３３、ファーストクラスセクション２３４（又はファーストクラススイート、客室など）、ビジネスクラスセクション２３６、前方調理室ステーション２３８、拡張されたエコノミーすなわちコーチセクション２４０、標準のエコノミーすなわちコーチセクション２４２、及び洗面所と調理室ステーションなどの複数の部屋１０４を含み得る、後方セクション２４４を含む、複数のセクションが含まれる。内部客室２３０は、図示したものよりも多くの又は少ないセクションを含み得ると理解すべきである。例えば、内部客室２３０には、ファーストクラスセクションが含まれなくてもよく、図示したものよりも更に多くの又は少ない調理室ステーションが含まれてもよい。複数のセクションの各々は、通路２４８の間にクラス仕切りアセンブリを含み得る、客室移行領域２４６によって分離され得る。
【００５７】
図３Ａで示されているように、内部客室２３０は、後方セクション２４４につながる２つの通路２５０及び２５２を含む。任意選択的に、内部客室２３０は、図示したものよりも少ない又は多い通路を有し得る。例えば、内部客室２３０には、後方セクション２４４につながっている内部客室２３０の中央を通って延在する単一の通路が含まれ得る。
【００５８】
洗面所などの１以上の部屋１０２は、内部客室２３０内に配置され得る。オゾン換気システム１００は、図１に関連して上述されたような、洗面所１０２からオゾンを除去するために使用され得る。
【００５９】
図３Ｂは、本発明の一実施形態による、航空機の内部客室２８０の平面図を示している。内部客室２８０は、航空機の胴体２８１内であってよい。例えば、１以上の胴体壁により、内部客室２８０が画定され得る。内部客室２８０は、乗客席２８３を有する主要客室２８２と、主要客室２８２の後ろの後方セクション２８５を含む、複数のセクションを含む。内部客室２８０は、図示したものよりも多くの又は少ないセクションを含み得ると理解すべきである。
【００６０】
内部客室２８０には、後方セクション２８５につながる単一の通路２８４が含まれ得る。単一の通路２８４は、後方セクション２８５につながる内部客室２８０の中央を通って延在し得る。例えば、単一の通路２８４は、内部客室２８０の中央縦断面の同軸上に位置合わせされ得る。
【００６１】
洗面所などの１以上の閉鎖空間１０２は、内部客室２８０内に配置され得る。オゾン換気システム１００は、図１に関連して上述されたような、洗面所１０２からオゾンを除去するために使用され得る。
【００６２】
図４は、本開示の一実施形態による、洗面所１０２の内部斜視図を示している。述べられるように、洗面所１０２は、図１に関連して示され且つ説明された閉鎖空間１０２の一実施例である。洗面所１０２は、上述したように航空機に搭載され得る。任意選択的に、洗面所１０２は、他の様々な輸送体に搭載され得る。他の実施形態では、洗面所１０２は、商業用又は住居用の建物などの固定された構造物内にあってもよい。
【００６３】
洗面所１０２は、便器３０４、キャビネット３０６、及びシンク３０８を支持する基盤床３０２を含む。ＵＶ光アセンブリ１１８は、洗面所１０２内に固定され、洗浄サイクルの間に起動され、便器３０４、床３０２、キャビネット３０６、及び／又はシンク３０８などの、洗面所１０２内の様々な構造物を殺菌するように構成されている。オゾンセンサ１１４は、洗面所１０２内の場所に取り付けられ得る。示されているように、オゾンセンサ１１４は、便器３０４のハウジング３１２に取り付けられ得る。任意選択的に、オゾンセンサ１１４は、洗面所１０２の他の様々な部分に固定され得る。
【００６４】
図５は、本開示の一実施形態による、洗浄サイクルの間に閉鎖空間内のオゾンレベルを制御する方法のフローチャートを示している。図１と図５を参照すると、該方法は４００で開始し、ＵＶ光アセンブリ１１８が、洗浄サイクルの間に起動され、閉鎖空間１０２内の１以上の構造物を殺菌する。４０２において、オゾンセンサ１１４は、閉鎖空間１０２内のオゾンの存在を検出する。
【００６５】
４０４において、オゾン換気制御ユニット１１６は、閉鎖空間１０２内のオゾンが第１のトリガ閾値未満であるか否かを判定する。オゾンセンサ１１４によって検出されたオゾンが第１のトリガ閾値未満ならば、該方法は４０６へ進み、オゾン換気制御ユニット１１６は、洗浄サイクルが完了したか否かを判定する。洗浄サイクルが完了していれば、該プロセスは４０８において終了する。しかし、洗浄サイクルが完了していなければ、該方法は４０２に戻り、オゾンセンサ１１４が、閉鎖空間１０２内のオゾンの存在を検出し続ける。
【００６６】
４０４において、閉鎖空間１０２内の検出されたオゾンが、第１のトリガ閾値よりも上ならば、該方法は４１０へ進み、オゾン換気制御ユニット１１６が、排気ファン１２２を起動する。４１２において、排気ファン１２２が起動された後で、オゾン換気制御ユニット１１６は、閉鎖空間１０２内の検出されたオゾンの量が、第１のトリガ閾値未満であるか否かを判定する。検出されたオゾンの量が第１の閾値未満ならば、該方法は４１２から４１４へ進み、オゾン換気制御ユニット１１６が、排気ファン１２２を起動解除し、該方法は４０２に戻る。
【００６７】
しかし、４１２で検出されたオゾンの量が、第１のトリガ閾値よりも上ならば、該方法は、４１２から４１６へ進み、排気ファン１２２が、動作を継続し、閉鎖空間１０２からオゾンを分散及び排出する。４１８において、オゾン換気制御ユニット１１６は、閉鎖空間１０２内のオゾンの量が第２のトリガ閾値未満であるか否かを判定する。４１８で検出されたオゾンの量が、第２のトリガ閾値未満ならば、該方法は４１８から４１２へ戻る。
【００６８】
しかし、４１８で検出されたオゾンの量が第２のトリガ閾値よりも上ならば、該方法は４１８から４２０へ進み、オゾン換気制御ユニット１１６が、ＵＶ光アセンブリ１１８を起動解除する。その後、該方法は、４２２へ進み、オゾン換気制御ユニット１１６が、洗浄サイクルが完了したか否かを判定する。４２２で洗浄サイクルが完了していれば、該方法は４２４において終了する。
【００６９】
しかし、４２２で洗浄サイクルが完了していなければ、該方法は、４２２から４２６へ進み、オゾン換気制御ユニット１１６が、閉鎖空間１０２内のオゾンの量がＵＶ再起動閾値未満であるか否かを判定する。閉鎖空間内のオゾンの量が、４２６で再起動閾値未満ならば、該方法は４２８へ進み、ＵＶ光アセンブリ１１８が再起動され、該方法は４０２に戻る。
【００７０】
しかし、閉鎖空間内のオゾンが、４２６で再起動閾値よりも上ならば、該方法は、４３０へ進み、オゾン換気制御ユニット１１６が、ＵＶ光アセンブリ１１８を起動解除状態に維持する。その後、該方法は、４２２に戻る。
【００７１】
更に、本開示は、下記の条項に係る実施形態を含む。
条項１
閉鎖空間内の１以上の構造物を消毒するためのシステムであって、
紫外線（ＵＶ）光を前記１以上の構造物の内部又は表面へ放射して、前記１以上の構造物を消毒するように構成された、ＵＶ光アセンブリ、
前記閉鎖空間内に固定された排気ファンであって、前記閉鎖空間からガスを排出するように構成された、排気ファン、並びに
前記閉鎖空間内のオゾンの量を制御するように構成された、オゾン換気システムを備え、前記オゾン換気システムが、
前記閉鎖空間内の前記オゾンの量を検出し、前記閉鎖空間内の前記オゾンの量を示すオゾン存在信号を出力するように構成された、オゾンセンサ、並びに
前記ＵＶ光アセンブリ、前記排気ファン、及び前記オゾンセンサと通信するオゾン換気制御ユニットであって、前記オゾン存在信号を受信し、前記閉鎖空間内の前記オゾンの量に基づいて、前記ＵＶ光アセンブリと前記排気ファンとを選択的に起動及び起動解除するように構成された、オゾン換気制御ユニットを備える、システム。
条項２
前記オゾン換気システムと通信するモニタリングステーションを更に備え、前記オゾン換気制御ユニットが、前記閉鎖空間内の前記オゾンの量に関するオゾンステータス信号を、前記モニタリングステーションへ出力するように構成され、前記モニタリングステーションが、前記閉鎖空間内の前記オゾンの量に関する情報を表示するか又は出力するかの一方又は両方に構成されている、条項１に記載のシステム。
条項３
開位置と閉位置との間で可動なドアを更に備え、前記開位置にある前記ドアが前記閉鎖空間へ入ることを可能にし、前記閉位置にある前記ドアが前記閉鎖空間を閉鎖し、前記オゾン換気制御ユニットが前記ドアの錠と通信し、前記オゾン換気制御ユニットが、前記閉鎖空間内の前記オゾンの量に基づいて、前記錠を選択的にロック及びロック解除するように構成されている、条項１に記載のシステム。
条項４
前記閉鎖空間内の前記オゾンの量が、第１のトリガ閾値と一致した又は超えたときに、前記オゾン換気制御ユニットが前記排気ファンを起動する、条項１に記載のシステム。
条項５
前記閉鎖空間内の前記オゾンの量が、前記第１のトリガ閾値未満であるときに、前記オゾン換気制御ユニットが前記排気ファンを起動解除する、条項４に記載のシステム。
条項６
前記閉鎖空間内の前記オゾンの量が、前記第１のトリガ閾値を超えた第２のトリガ閾値と一致した又は超えたときに、前記オゾン換気制御ユニットが、前記ＵＶ光アセンブリを起動解除する、条項４に記載のシステム。
条項７
洗浄サイクルが動作しており、且つ、前記閉鎖空間内の前記オゾンの量が前記第２のトリガ閾値未満ならば、前記オゾン換気制御ユニットが、前記ＵＶ光アセンブリを再起動する、条項６に記載のシステム。
条項８
前記オゾン換気制御ユニットが、前記閉鎖空間内の前記オゾンの量に基づいて、前記排気ファンの排出速度を変更するように構成されている、条項１に記載のシステム。
条項９
前記閉鎖空間内にオゾンスクラバを更に備え、前記オゾン換気制御ユニットが前記オゾンスクラバと通信し、前記オゾン換気制御ユニットが、前記閉鎖空間内の前記オゾンの量に基づいて、前記オゾンスクラバの動作を制御する、条項１に記載のシステム。
条項１０
閉鎖空間内の１以上の構造物を消毒する方法であって、
オゾン換気制御ユニットを、紫外線（ＵＶ）光アセンブリ、オゾンセンサ、及び排気ファンと動作可能に接続すること、
前記オゾン換気制御ユニットを使用して、前記ＵＶ光アセンブリを操作し、洗浄サイクルの間に前記閉鎖空間の前記１以上の構造物の内部又は表面へＵＶ光を放射すること、
前記オゾン換気制御ユニットによって、前記閉鎖空間内のオゾンの量を検出する前記オゾンセンサから、前記閉鎖空間内の前記オゾンの量を示すオゾン存在信号を受信すること、
前記オゾン換気制御ユニットを使用して、前記閉鎖空間内の前記オゾンの量に基づいて、前記排気ファンを選択的に起動及び起動解除すること、並びに
前記オゾン換気制御ユニットを使用して、前記閉鎖空間内の前記オゾンの量に基づいて、前記ＵＶ光アセンブリを選択的に起動及び起動解除することを含む、方法。
条項１１
モニタリングステーションを前記オゾン換気制御ユニットに接続すること、及び
前記オゾン換気制御ユニットから前記モニタリングステーションへ、前記閉鎖空間内の前記オゾンの量に関するオゾンステータス信号を出力して、前記モニタリングステーションが前記閉鎖空間内の前記オゾンの量に関する情報を表示又は出力することのうちの一方又は両方を可能にすることを更に含む、条項１０に記載の方法。
条項１２
前記オゾン換気制御ユニットを使用して、前記閉鎖空間内の前記オゾンの量に基づいて、前記閉鎖空間にドアを選択的にロック及びロック解除することを更に含む、条項１０に記載の方法。
条項１３
前記オゾン換気制御ユニットを使用して、前記排気ファンを選択的に起動及び起動解除することが、前記閉鎖空間内の前記オゾンの量が第１のトリガ閾値と一致した又は超えたときに、前記排気ファンを起動することを含む、条項１０に記載の方法。
条項１４
前記オゾン換気制御ユニットを使用して、前記排気ファンを選択的に起動及び起動解除することが、前記閉鎖空間内の前記オゾンの量が前記第１のトリガ閾値未満であるときに、前記排気ファンを起動解除することを含む、条項１３に記載の方法。
条項１５
前記オゾン換気制御ユニットを使用して、前記ＵＶ光アセンブリを選択的に起動及び起動解除することが、前記閉鎖空間内の前記オゾンの量が、前記第１のトリガ閾値を超えた第２のトリガ閾値と一致した又は超えたときに、前記ＵＶ光アセンブリを起動解除することを含む、条項１３に記載の方法。
条項１６
前記オゾン換気制御ユニットを使用して、前記ＵＶ光アセンブリを選択的に起動及び起動解除することが、洗浄サイクルが動作しており、且つ、前記閉鎖空間内の前記オゾンの量が前記第２のトリガ閾値未満ならば、前記ＵＶ光アセンブリを再起動することを含む、条項１５に記載の方法。
条項１７
前記オゾン換気制御ユニットを使用して、前記排気ファンを選択的に起動及び起動解除することが、前記閉鎖空間内の前記オゾンの量に基づいて、前記排気ファンの排出速度を変更することを含む、条項１０に記載の方法。
条項１８
前記オゾン換気制御ユニットを前記閉鎖空間内のオゾンスクラバに接続すること、及び
前記オゾン換気制御ユニットを使用して、前記閉鎖空間内の前記オゾンの量に基づいて、前記オゾンスクラバの動作を制御することを更に含む、条項１０に記載の方法。
条項１９
内部客室、
前記内部客室内の洗面所であって、消毒されるべき１以上の構造物、及び開位置と閉位置との間で可動なドアを備え、前記開位置にある前記ドアが前記洗面所へ入ることを可能にし、前記閉位置にある前記ドアが前記洗面所を閉鎖する、洗面所、
前記洗面所内の紫外線（ＵＶ）光アセンブリであって、前記１以上の構造物の内部又は表面へＵＶ光を放射して、前記１以上の構造物を消毒する、ＵＶ光アセンブリ、
前記洗面所内に固定された排気ファンであって、前記洗面所からガスを排出するように構成された、排気ファン、並びに
前記洗面所内のオゾンの量を制御するように構成されたオゾン換気システムを備え、前記オゾン換気システムが、
前記洗面所内の前記オゾンの量を検出し、前記洗面所内の前記オゾンの量を示すオゾン存在信号を出力するように構成された、オゾンセンサ、
前記ＵＶ光アセンブリ、前記排気ファン、及び前記オゾンセンサと通信するオゾン換気制御ユニットであって、前記オゾン存在信号を受信し、前記洗面所内の前記オゾンの量に基づいて、前記ＵＶ光アセンブリと前記排気ファンとを選択的に起動及び起動解除するように構成され、前記ドアの錠と通信し、前記洗面所内の前記オゾンの量に基づいて、前記錠を選択的にロック及びロック解除するように構成された、オゾン換気制御ユニット、並びに
前記オゾン換気システムと通信するモニタリングステーションであって、前記オゾン換気制御ユニットから、前記洗面所内の前記オゾンの量に関するオゾンステータス信号を受信するように構成され、前記洗面所内の前記オゾンの量に関する情報を表示するか又は出力するかの一方又は両方に構成された、モニタリングステーションを備える、輸送体。
条項２０
前記オゾン換気制御ユニットが、
前記洗面所内の前記オゾンの量が第１のトリガ閾値と一致した又は超えたときに、前記排気ファンを起動し、
前記洗面所内の前記オゾンの量が前記第１のトリガ閾値未満であるときに、前記排気ファンを起動解除し、
前記洗面所内の前記オゾンの量が、前記第１のトリガ閾値を超えた第２のトリガ閾値と一致した又は超えたときに、前記ＵＶ光アセンブリを起動解除し、且つ
洗浄サイクルが動作しており、且つ、前記洗面所内の前記オゾンの量が前記第２のトリガ閾値未満ならば、前記ＵＶ光アセンブリを再起動するように構成されている、条項１９に記載の輸送体。
【００７２】
上述されたように、本開示の実施形態は、閉鎖空間内のオゾンの量を制限するシステム及び方法を提供する。本開示の実施形態は、閉鎖空間内のオゾンを換気するシステム及び方法を提供する。本開示の実施形態は、放射されたＵＶ光と周囲空気の相互作用によって生成されたオゾンが、素早く、効果的に、且つ効率的に閉鎖空間から換気されるように、ＵＶライトが消毒されるべき構造体から分離されることを可能にするシステム及び方法を提供する。
【００７３】
本開示の実施形態の説明のために、上部、底部、下方、中央、横方向、水平、垂直、前方などの空間及び方向に関する様々な語が用いられる場合があるが、そのような語は図面で示す方向に対するものとして用いられているにすぎないことを理解されたい。向きを、反転させる、回転させる、又はそうでなければ、上部が下部に、また下部が上部になるように、また水平が垂直になる等のように変化させることができる。
【００７４】
本明細書で使用する、タスク又は工程を実施する「ように構成される」構造、限定事項、又は要素は、特にタスク又は工程に対応するように、構造的に形成、構成、又は適合されている。明確さのため、及び誤解を避けるために、タスク又は工程を実施するために変更可能であるに過ぎない対象物は、本明細書で使用するタスク又は工程を実施する「ように構成」されてはいない。
【００７５】
上記の説明は、限定ではなく例示を意図するものであることを理解されたい。例えば、上述の実施形態（及び／又はそれらの態様）は、互いに組み合わせて使用され得る。加えて、本開示の様々な実施形態の範囲から逸脱することなく、特定の状況又は材料に適応させるために、様々な実施形態の教示に多数の改変を加え得る。本明細書に記載の材料の形状寸法及びタイプは、本開示の様々な実施形態のパラメータを規定することを意図しているが、これらの実施形態は限定的なものではなく例示的な実施形態である。上記の記載を精査することにより、当業者には他の多くの実施形態が明らかであろう。本開示の様々な実施形態の範囲は、添付の特許請求の範囲、並びに、かかる特許請求の範囲が認められる均等物の全範囲を参照して決定されるべきである。添付の特許請求の範囲において、「含む（including）」及び「そこにおいて（in which）」という語は、それぞれ、「備える（comprising）」及び「そこで（wherein）」という語の明白な同義語として使用される。また、「第１」「第２」及び「第３」等の語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、更なる構造のない機能の記述が後続する「のための手段（ｍｅａｎｓ  ｆｏｒ）」という言い回しを明示的に使用しない限り、米国特許法第１１２条、段落（ｆ）、３５に基づいて解釈されることを意図するものではない。
【００７６】
ここに記載した説明では、ベストモードを含む本開示の様々な実施形態を開示し、且つ当業者が任意のデバイス又はシステムの作成及び使用、並びに組込まれた任意の方法の実行を含め、本開示の様々な実施形態を実施することを可能にするために実施例を使用している。本開示の様々な実施形態の特許性の範囲は、特許請求の範囲によって規定され、当業者が想起する他の実施例を含み得る。かかる他の実施例は、実施例が特許請求の範囲の文言と相違しない構造要素を有する場合、又は、実施例が、特許請求の範囲の文言とごくわずかな相違しかない同等の構造要素を含む場合、特許請求の範囲内であることが意図される。
【図１】
2018065549.tif 000003
【図２】
2018065549.tif 000004
【図３Ａ】
2018065549.tif 000005
【図３Ｂ】
2018065549.tif 000006
【図４】
2018065549.tif 000007
【図５】
2018065549.tif 000008
【外国語明細書】
2018065549000001.pdf
2018065549000002.pdf
2018065549000003.pdf
2018065549000004.pdf